(57)【要約】【課題】  連続記録処理の際、パケット容量の整数倍となる反復記録領域で記録を行うことでアドレス計算を簡略化し、迅速で安定した記録処理を行う記録装置を提供する。【解決手段】  情報を記録するための記録領域Ｚ０をもつ記録部１８と、記録部の記録領域Ｚ０を先頭から終点の方向に第１領域Ｚ１と反復記録のための第２領域Ｚ２とに分割し、第２領域は記録再生処理の処理単位であるパケット容量の整数倍の容量となるように、各領域のアドレスを決定する演算部３０と、記録容量を越えて連続的に情報を記録部に記録する際は、演算部で演算した各アドレスに基づき、１回目の記録は記録領域の全面に渡り情報の記録を行い、以降の記録は、第２領域にて繰り返し記録を続けるべく記録部を制御する制御部３０とをもつ記録再生装置。【選択図】図１
2005341380.tif 000002
【特許請求の範囲】
【請求項１】
情報を記録するための記録領域をもつ記録部と、
前記記録部の記録領域の先頭アドレスである第１アドレスから始まり第２アドレスで終わる先頭領域と、前記第２アドレスから始まり前記記録領域の最終アドレスである第３アドレスで終わる反復記録領域との各領域のアドレスを決定する際に、
前記反復記録領域の容量が、記録再生処理の処理単位であるパケット容量の整数倍であり、前記先頭領域の容量が、前記記憶領域の容量から前記反復領域の容量を減算した容量となるような前記第２アドレスを演算により決定する演算部と、
前記記録領域の記録容量を越えて連続的に情報を前記記録部に記録する際は、１回目の記録は前記第１アドレスから前記第３アドレスまでの前記記録領域の全面に情報の記録を行い、記録が前記第３アドレスに達した以降の記録は、前記第２アドレスから前記第３アドレスによる前記反復記録領域にて繰り返し記録を続けるべく前記記録部を制御し、前記記録部で記録された前記情報を再生するべく前記記録部を制御する制御部とを具備することを特徴とする記録再生装置。
【請求項２】
前記記録再生処理の処理単位であるパケット容量とは、１８８バイト、１９２バイト、１３０バイト、１３２バイト、１３４バイトの中のどれか一つであることを特徴とする請求項１記載の記録再生装置。
【請求項３】
放送信号を受け選局し復号することで、前記記録部に記録される前記情報である映像情報と音声情報とを出力するチューナ部を更に有することを特徴とする請求項１記載の記録再生装置。
【請求項４】
光ディスクを保持し、前記制御部の制御に応じて、情報を記録し再生する光ディスクドライブ部を更に有することを特徴とする請求項１記載の記録再生装置。
【請求項５】
前記先頭領域の容量は、少なくとも、動画情報の一画面以上の画像情報を格納することができることを特徴とする請求項１記載の記録再生装置。
【請求項６】
情報を記録するための記録領域をもつ記録部と、
前記記録部の記録領域を先頭から終点の方向に第１領域と反復記録のための第２領域とに分割し、前記第２領域は記録再生処理の処理単位であるパケット容量の整数倍の容量となるように、各領域のアドレスを決定する演算部と、
前記記録容量を越えて連続的に情報を前記記録部に記録する際は、前記演算部で演算した各アドレスに基づき、１回目の記録は前記記録領域の全面に渡り情報の記録を行い、以降の記録は、前記第２領域にて繰り返し記録を続けるべく前記記録部を制御する制御部とを具備することを特徴とする記録再生装置。
【請求項７】
前記記録再生処理の処理単位であるパケット容量とは、１８８バイト、１９２バイト、１３０バイト、１３２バイト、１３４バイトの中のどれか一つであることを特徴とする請求項６記載の記録再生装置。
【請求項８】
情報を記録するための記録領域をもつ記録部と、
前記記録部の記録領域に前記情報を記録するための所定容量のファイルを設定し、複数の前記ファイルにより前記情報を格納するべく、前記各複数のファイルのアドレスを決定する演算部と、
前記記録容量を越えて連続的に情報を前記記録部に記録する際は、前記演算部で演算した各アドレスに基づき、１回目の記録は前記記録領域の全面に渡り、前記複数のファイル毎に前記情報を記録し、前記記録領域に記録可能なファイルが記録された後は、第１番目に記録されたファイルは残し、第２番目以降に記録されたファイルを削除しながら、新たな前記複数のファイルを順次設定し、この新たな複数のファイル毎に前記情報を前記記録部に記録するべく前記記録部を制御し、前記記録部で記録された前記情報を再生するべく前記記録部を制御する制御部とを具備することを特徴とする記録再生装置。
【請求項９】
前記ファイルの容量は、少なくとも、動画情報の一画面以上の画像情報を格納されることができることを特徴とする請求項８記載の記録再生装置。
【請求項１０】
情報を記録するための記録領域をもつ記録媒体に対し、前記記録媒体の記録領域の先頭アドレスである第１アドレスから始まり第２アドレスで終わる先頭領域と、前記第２アドレスから始まり前記記録領域の最終アドレスである第３アドレスで終わる反復記録領域との各領域のアドレスを決定する際に、
前記反復記録領域の容量が、記録再生処理の処理単位であるパケット容量の整数倍であり、前記先頭領域の容量が、前記記憶領域の容量から前記反復領域の容量を減算した容量となるような前記第２アドレスを演算により決定し、
前記記録領域の記録容量を越えて連続的に情報を前記記録媒体に記録する際は、１回目の記録は前記第１アドレスから前記第３アドレスまでの前記記録領域の全面に情報の記録を行い、記録が前記第３アドレスに達した以降の記録は、前記第２アドレスから前記第３アドレスによる前記反復記録領域にて繰り返し記録を続けるべく前記記録媒体を制御し、前記記録された前記情報を再生するべく前記記録媒体を制御することを特徴とする記録再生方法。
【請求項１１】
前記記録再生処理の処理単位であるパケット容量とは、１８８バイト、１９２バイト、１３０バイト、１３２バイト、１３４バイトの中のどれか一つであることを特徴とする請求項１０記載の記録再生方法。
【請求項１２】
放送信号を受け選局し復号して出力した映像情報と音声情報とを、前記情報として前記記録媒体に記録することを特徴とする請求項１０記載の記録再生方法。
【請求項１３】
前記記録媒体と同一の筐体中に設けた光ディスクのドライバを制御して、前記記録媒体に記録した前記情報を再生し、これを前記光ディスクに記録して再生することを特徴とする請求項１０記載の記録再生方法。
【請求項１４】
前記先頭領域の容量は、少なくとも、動画情報の一画面以上の画像情報を格納することができることを特徴とする請求項１０記載の記録再生方法。
【請求項１５】
情報を記録するための記録領域をもつ記録媒体に対して、前記記録媒体の記録領域を先頭から終点の方向に第１領域と反復記録のための第２領域とに分割し、前記第２領域は記録再生処理の処理単位であるパケット容量の整数倍の容量となるように、各領域のアドレスを決定し、
前記記録容量を越えて連続的に情報を前記記録媒体に記録する際は、前記演算した各アドレスに基づき、１回目の記録は前記記録領域の全面に渡り情報の記録を行い、以降の記録は、前記第２領域にて繰り返し記録を続けるべく前記記録媒体を制御し、前記情報を再生するべく前記記録媒体を制御することを特徴とする記録再生方法。
【請求項１６】
前記記録再生処理の処理単位であるパケット容量とは、１８８バイト、１９２バイト、１３０バイト、１３２バイト、１３４バイトの中のどれか一つであることを特徴とする請求項１５記載の記録再生方法。
【請求項１７】
情報を記録するための記録領域をもつ記録媒体に対して、前記記録媒体の記録領域に前記情報を記録するための所定容量のファイルを設定し、複数の前記ファイルにより前記情報を格納するべく、前記各複数のファイルのアドレスを決定し、
前記記録容量を越えて連続的に情報を前記記録媒体に記録する際は、前記演算した各アドレスに基づき、１回目の記録は前記記録領域の全面に渡り、前記複数のファイル毎に前記情報を記録し、前記記録領域に記録可能なファイルが記録された後は、第１番目に記録されたファイルは残し、第２番目以降に記録されたファイルを削除しながら、新たな前記複数のファイルを順次設定し、この新たな複数のファイル毎に前記情報を前記記録媒体に記録するべく前記記録媒体を制御することを特徴とする記録再生方法。
【請求項１８】
前記ファイルの容量は、少なくとも、動画情報の一画面以上の画像情報を格納されることができることを特徴とする請求項１７記載の記録再生方法。
【発明の詳細な説明】
【技術分野】
【０００１】
この発明は、記録領域に情報を記録し再生する記録再生装置に関し、特に、記録領域の容量を越えて長時間連続的に記録を行う際のアドレスを設定する記録再生装置及び記録再生方法に関する。
【背景技術】
【０００２】
最近、ハードディスクレコーダやＤＶＤ（Digital Versatile Disc）レコーダ等のデジタル映像情報を扱う記録再生装置が広く普及してきており、様々な方式の研究開発が行われ製品化されている。このようなデジタル映像情報の記録再生装置においては、例えば、タイムシフト視聴と言って、ハードディスクドライブに連続的に映像情報を録画しつ、録画個所から遡った時刻の記録画像を再生する手法があり、ここでは、ハードディスクの容量を越えて映像情報を録画し続けるために、記録量が所定値に達すると、最も古いデータを消去しながら新しいデータを記録することとなる。
【０００３】
特許文献１及び特許文献２においては、これと同じ録画処理が示されており、どちらも記録量が所定値になると、もっとも古いデータを消去しながら新しいデータを記録することが挙がっている。すなわち、特許文献１においては、６カラム目２９行目等に、特許文献２においては、２０カラム目３行目等に同等の記載が示されている。
【特許文献１】ＵＳＰ  ＲＥ３６８０１号。
【特許文献２】ＵＳＰ  ６１３８１４７号。
【発明の開示】
【発明が解決しようとする課題】
【０００４】
しかしながら、上述した従来技術においては、タイムシフト視聴のために連続的な録画処理を行う際に、録画情報が所定量に達すると最も古い情報が削除され、新たな録画情報が録画されてしまうので、録画を開始した時点での録画情報が全く失われてしまい、録画情報が何に関するものかがわからなくなるという問題がある。
【０００５】
又、更に、長時間の録画を行う際に、録画情報が所定量に達する前後は、記録再生処理の処理単位であるパケット容量毎に、きっちり録画が終わるわけではないので、一つのパケットが分割されて録画されてしまう。このため、制御部において、そのつど、アドレス計算を行わなければならず、又、ディスクのシークタイムが長くなったりするために、動作が不安定になったりするという問題がある。
【０００６】
本発明は、長時間録画を行う際に、パケット容量の整数倍となる反復記録領域で記録を行うことでアドレス計算を簡略化し、迅速で安定した記録処理を行う記録装置及び記録方法を提供することを目的とする。
【課題を解決するための手段】
【０００７】
本発明の一実施形態に係る記録再生装置は、情報を記録するための記録領域（Ｚ０）をもつ記録部と、前記記録部の記録領域（Ｚ０）の先頭アドレスである第１アドレス（ｄ１）から始まり第２アドレス（ｄ３）で終わる先頭領域（Ｚ１）と、前記第２アドレス（ｄ３）から始まり前記記録領域の最終アドレスである第３アドレス（ｄ４）で終わる反復記録領域（Ｚ２）との各領域のアドレスを決定する際に、前記反復記録領域の容量が、記録再生処理の処理単位であるパケット容量の整数倍であり、前記先頭領域の容量が、前記記憶領域の容量から前記反復領域の容量を減算した容量となるような前記第２アドレスを演算により決定する演算部と、前記記録領域の記録容量を越えて連続的に情報を前記記録部に記録する際は、１回目の記録は前記第１アドレスから前記第３アドレスまでの前記記録領域の全面に情報の記録を行い、記録が前記第３アドレスに達した以降の記録は、前記第２アドレスから前記第３アドレスによる前記反復記録領域にて繰り返し記録を続けるべく、前記記録部を制御し、前記記録部で記録された前記情報を再生するべく前記記録部を制御する制御部とを具備することを特徴とする記録再生装置である。
【０００８】
又、本発明の一実施形態に係る記録再生装置は、情報を記録するための記録領域（Ｚ０）をもつ記録部と、前記記録部の記録領域（Ｚ０）に前記情報を記録するための所定容量のファイル（４１−４６）を設定し、複数の前記ファイルにより前記情報を格納するべく、前記各複数のファイルのアドレスを決定する演算部と、前記記録容量を越えて連続的に情報を前記記録部に記録する際は、前記演算部で演算した各アドレスに基づき、１回目の記録は前記記録領域の全面に渡り、前記複数のファイル毎に前記情報を記録し、前記記録領域に記録可能なファイルが記録された後は、第１番目に記録されたファイル（４１）は残し、第２番目以降に記録されたファイルを削除しながら、新たな前記複数のファイルを順次設定し、この新たな複数のファイル毎に前記情報を前記記録部に記録するべく前記記録部を制御し、前記記録部で記録された前記情報を再生するべく前記記録部を制御する制御部とを具備することを特徴とする記録再生装置である。
【発明の効果】
【０００９】
上記の記録再生装置においては、以下のように安定した連続的な録画処理を行う。すなわち、例えば、ハードディスク等の記録部に、連続的に映像情報等を記録する際に、従来技術であると、ディスクの記録領域の全てに記録してしまうと、その後は、再び、ディスクの先頭領域の情報を削除しながら記録を反復するものである。このとき、記録再生処理の処理単位であるパケット容量毎に記録と再生が行われるが、録画情報がディスクの記録領域の終了部分に達する前後は、パケット容量毎にきっちり録画が終わるわけではないので、一つのパケットがディスクの記録領域の終端部と先頭部とに分割されて録画されてしまう。このため、制御部において、そのつど、アドレス計算を行わなければならず、ディスクのシークタイムが長くなったり、動作が不安定になったりする。
【００１０】
上記の記録再生装置においては、１回目の記録は記録領域の全面（Ｚ１，Ｚ２）に情報の記録を行い、２回目以降の記録は反復記録領域（Ｚ２）にて記録を行うものであり、ここで、反復記録領域（Ｚ２）は、パケット容量（１８８バイト等）の整数倍であるため、何度記録を反復してもパケットが分割してしまうということがない。このため、制御部において、従来のような分割パケットのアドレス計算を行うという必要がなくなるため、ディスクのシークタイムが長くなったりするために動作が不安定になるということがなく、迅速で安定した記録再生処理が可能となる。
【００１１】
又、更に、上記した後段の記録再生装置においては、情報を記録する際に、所定容量の複数のファイル（４１−４６）を設定し、このファイル毎にハードディスク等上に情報を連続的に記録していくものである。このとき、記録領域の全面に渡り複数のファイル毎に情報を記録した後は、第１番目に記録されたファイル（４１）は残し第２番目以降に記録されたファイルを削除しながら、新たな複数のファイルを順次設定し、この新たな複数のファイル毎に情報を記録部に記録するため、常に、第一番目のファイル（４１）の情報が残ることとなる。このため、例えば、第一番目のファイル（４１）に、その記録の際の例えば録画した先頭の映像情報が残ったままとなる。これにより、例えば、ユーザは、連続的に録画されている情報であっても、例えば、どんな番組の録画が長時間に渡って行われているかを知ることが可能となるため、長時間録画であっても、録画されている情報の管理が非常に容易になるものである。
【発明を実施するための最良の形態】
【００１２】
以下、この発明の実施の形態について図面を参照して詳細に説明する。  
本発明に係る記録再生装置として、図１に示すようなＤＶＤレコーダ機能等を有するハードディスクレコーダ１０を例に挙げて、以下に詳細に説明する。
【００１３】
＜本発明の一実施形態に係る記録再生装置＞
初めに、本発明に係る記録再生装置の構成を、図面を用いて説明する。図１は、本発明の一実施形態に係る記録再生装置の構成の一例を示すブロック図である。
【００１４】
（構成）
この実施形態では、記録再生装置１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。図１の各ブロックを大きく分けると、左側には記録部の主なブロックを示し，右側には再生部の主なブロックを示している。
【００１５】
図１の記録再生装置１０は、２種類のディスクドライブ部を有する。まず、ビデオファイルを構築できる情報記録媒体である第１のメディアとしての光ディスクＤを回転駆動し、情報の読み書きを実行するディスクドライブ部１９を有する。又、第２のメディアとしてのハードディスクを駆動するハードディスクドライブ部１８を有する。制御部３０は、ディスクドライブ部１９及びハードディスクドライブ部１８に記録データを供給することができ、又、再生された信号を受け取ることができる。ディスクドライブ部１９は、光ディスクＤに対する回転制御系、レーザ駆動系、光学系などを有する。
【００１６】
データ処理部２０は、記録、又は、再生単位のデータを取り扱うもので、バッファ回路、変調・復調回路、エラー訂正部などを含む。
【００１７】
又、図１の記録再生装置１０は、録画側を構成するエンコーダ部２１と、再生側を構成するデコーダ部２２と、装置本体の動作を制御する制御部３０とを主たる構成要素としている。
【００１８】
記録再生装置１０は、入力側として、例えば、インターネット等を介してサーバＳ等に接続するためのネットワークＩ／Ｆ部１１と、アンテナを介して放送信号を選局し復調して映像信号及び音声信号を出力するチューナ部１２と、輝度信号や色差信号、コンポジット等の映像信号、音声信号を受けるための入力部１３等を有しており、これらは、制御部３０等で制御されるセレクタ１６により、入力が制御されて、エンコーダ部２１に選択的に供給される。すなわち、エンコーダ部２１には、入力部１３からの外部アナログビデオ信号や外部アナログオーディオ信号、又は、ＴＶチューナ１２からのアナログビデオ信号とアナログオーディオ信号が、セレクタ１６を介して入力される。
【００１９】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。
【００２０】
エンコーダ部２１の出力は、ＤＶＤに記録する場合にはバッファメモリを含むフォーマッタ部２３にて所定のＤＶＤ−ＲＡＭのフォーマットに変換され、先のデータ処理部２０に供給される。
【００２１】
なお、エンコーダ部２１は、直接圧縮されたデジタルビデオ信号やデジタルオーディオ信号が直接入力されるときは、圧縮デジタルビデオ信号やデジタルオーディオ信号を直接フォーマッタ部２３に供給することもできる。又、エンコーダ部２１は、アナログデジタル変換されたデジタルビデオ信号やオーディオ信号を、ビデオミキシング部２４やセレクタ部１７に直接供給することもできる。
【００２２】
エンコーダ部２１に含まれるビデオエンコーダでは、デジタルビデオ信号はＭＰＥＧ２、又は、ＭＰＥＧ１規格に基づいた可変ビットレートで圧縮されたデジタルビデオ信号に変換される。デジタルオーディオ信号は、ＭＰＥＧ、又は、ＡＣ−３規格に基づいて固定ビットレートで圧縮されたデジタルオーディオ信号、又はリニアＰＣＭのデジタルオーディオ信号に変換される。
【００２３】
副映像信号が入力部１３から入力された場合（例えば、副映像信号の独立出力端子付ＤＶＤビデオプレーヤからの信号など）、又はこのようなデータ構成のＤＶＤビデオ信号が放送されてそれがＴＶチューナ１２で受信された場合は、ＤＶＤビデオ信号中の副映像信号が副映像エンコーダでエンコード（ランレングス符号化）されて副映像のビットマップとなる。
【００２４】
光ディスクＤにＤＶＤ−レコーディング規格（例えば、ＤＶＤ−ＲＡＭ、ＤＶＤ−Ｒ、ＤＶＤ−ＲＷなどに記録する規格）で記録する場合には、エンコードされたデジタルビデオ信号、デジタルオーディオ信号、副映像データは、フォーマッタ部２３にてパック化（２０４８ｂｙｔｅ等）され、ビデオパック、オーディオパック、副映像パックとなり、更にこれらが集合されてＤＶＤ−レコーディング規格（例えば、ＤＶＤ−ＲＡＭ、ＤＶＤ−Ｒ、ＤＶＤ−ＲＷなどに記録する規格）で規定されたフォーマットに変換される。
【００２５】
光ディスクＤに他の規格で記録する場合や、ハードディスクドライブ部１８に記録する場合は、エンコードされたデジタルビデオ信号、デジタルオーディオ信号などは、フォーマッタ部２３にてそれぞれの所望の規格に従ったフォーマットに変換される。例えばＭＰＥＧ２Ｓｙｓｔｅｍｓ規格に従うトランスポートストリームで記録する場合には、１８８ｂｙｔｅ単位のパケット化や、ＰＡＴ，ＰＭＴなどのテーブル挿入などを行う。
【００２６】
ここで図１の装置は、こうしてフォーマッタ部２３でフォーマット化された情報及び作成された管理情報を、データ処理部２０を介してハードディスクドライブ部１８又はディスクドライブ部１９に供給し、ハードディスクドライブ部１８又は光ディスクＤに記録することができる。又、ハードディスク部１８又は光ディスクＤに記録された情報を、データ処理部２０、ディスクドライブ部１９を介して光ディスクＤ又はハードディスクに記録することもできる。
【００２７】
又、ハードディスク又は光ディスクＤに記録されている複数番組を、一部削除したり、異なる番組同士をつなげたり、といった編集処理を行うこともできる。
【００２８】
制御部３０は、ＭＰＵ（マイクロプロセッシングユニット）、又は、ＣＰＵ（セントラルプロセッシングユニット）と、制御プログラム等が書きこまれたＲＯＭと、プログラム実行に必要なワークエリアを提供するためのＲＡＭとを含んでいる。
【００２９】
制御部３０のＭＰＵは、そのＲＯＭに格納された制御プログラムに従い、ＲＡＭをワークエリアとして用いて、本発明の実施形態であり、後に詳しく説明するハードディスクドライブ部１９における読出・書込アドレス決定処理を行う。又、更に、欠陥場所検出、未記録領域検出、録画情報記録位置設定、ＵＤＦ記録、ＡＶアドレス設定等を行うことも好適である。
【００３０】
又、制御部３０は、システム全体を制御するために必要な情報処理部を有するもので、上述したワークＲＡＭを有している。更に、他の実施形態として、図示しない、ディレクトリ検出部、編集時及び録画時の管理情報制御部の他に、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備えるものであることも好適である。
【００３１】
ＭＰＵの実行結果のうち、ユーザに通知すべき内容は、記録再生装置の表示部３１に表示されるか、又は、ディスプレイ２６にＯＳＤ（オンスクリーンディスプレイ）表示される。又、制御部３０は、この装置を操作するための操作信号を与える操作部３２を有する。操作部３２は、更に、リモコンを伴うことが好適である。
【００３２】
なお、制御部３０が、ディスクドライブ部１９、ハードディスクドライブ部１８、制御部３０、エンコーダ部２１及び／又は、デコーダ部２２などを制御するタイミングは、図示しないＳＴＣ（システムタイムクロック）からの時間データに基づいて実行することができる。録画や再生の動作は、通常はＳＴＣからのタイムクロックに同期して実行されるが、それ以外の処理はＳＴＣとは独立したタイミングで実行されてもよい。
【００３３】
デコーダ部２２は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３４】
デコーダ部２２の出力ビデオ信号は、ビデオミキシング部２４に入力される。ビデオミキシング部２４では、テキストデータの合成が行われる。又、ビデオミキシング部２４には、ＴＶチューナ１２や入力部１３からの信号を直接取り込むラインも接続されている。ビデオミキシング部２４には、バッファとして用いる図示しないフレームメモリが接続されている。ビデオミキシング部２４の出力が、セレクタ部１７に供給され、セレクタ部１７により選択されれば、ディスプレイ２６に供給されて表示されるか、Ｉ／Ｆ（インタフェース）部２７を介して外部装置に供給される。
【００３５】
デコーダ部２２の出力オーディオ信号は、セレクタ１７を介して図示しないデジタルアナログ変換器でアナログ変換されてスピーカ２５に供給されるか、Ｉ／Ｆ部２７を介して外部装置に供給される。セレクタ１７は、制御部３０からのセレクト信号により制御される。これによりセレクタ１７は、ＴＶチューナ１２や入力部１３からのデジタル信号を直接モニタする時、エンコーダ部２１をスルーした信号を直接選択することも可能である。
【００３６】
なお、エンコーダ部２１のフォーマッタ部２３では、録画中、各切り分け情報を作成し、定期的に制御部３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００３７】
データ処理部２０は、エンコーダ部２１のフォーマッタ部２３からパック又はパケット単位（１８８バイト等）のデータをディスクドライブ部１９又はハードディスクドライブ部１８に供給している。又、制御部３０のＭＰＵは、記録したデータを再生するのに必要な管理情報を作成し、データ記録終了のコマンドを認識すると、作成した管理情報をデータ処理部２０に送る。これにより、管理情報がディスクに記録される。従って、エンコードが行われているとき、制御部３０のＭＰＵは、エンコーダ部２１からデータ単位の情報（切り分け情報など）を受け取る。又、制御部３０のＭＰＵは、記録開始時には光ディスク及びハードディスクから読み取った管理情報（ファイルシステム）を認識し、各ディスクの未記録エリアを認識し、データ上の記録エリアを制御部３０を介してディスクに設定している。
【００３８】
（反復記録領域のアドレス設定）
次に、本発明の実施形態に係る記録再生装置１０での連続記録処理の際のアドレスの設定について、図面を用いて以下に詳細に説明する。図２は、本発明の一実施形態に係る記録再生装置の記録方法の一例を示す説明図、図３は、本発明の一実施形態に係る記録再生装置の記録方法の一例を示すフローチャートである。
【００３９】
本発明の実施形態に係る記録再生装置１０では、図２に示すように、記憶容量の一例を以下に示すものであり、ハードディスクドライバ１８の（例えば、タイムシフト視聴のための連続録画用の）記憶領域Ｚ０を、先頭領域Ｚ１と反復記録領域Ｚ２とに分けて、特に、後半の反復記録領域Ｚ２において、パケット容量（１８８バイト）の整数倍の容量となるようにアドレスｄ３を演算するものである。一方、先頭領域Ｚ１は、パケット容量（１８８バイト）の整数倍とはならず、ここでは、余剰分８４バイトを含んでいる。
【００４０】
すなわち、ここでは、記憶領域Ｚ０の容量Ｖ０は、
Ｖ０＝２３３＝８，５８９，９３４，５９２バイト
＝１，４９９，９４８＋８，５８８，４３４，６４４バイト
＝Ｖ１＋Ｖ２
であり、
先頭領域Ｚ１の容量Ｖ１は、
Ｖ１＝１，４９９，９４８バイト＝７９７８＊１，４９９，８６４＋８４バイト
であり、
反復記録領域Ｚ２の容量Ｖ２は、
Ｖ２＝８，５８８，４３４，６４４バイト＝１８８＊４５，６８３，１６３バイト
となる。
【００４１】
このようにハードディスクドライブ部１８の記憶領域Ｚ０を、先頭領域Ｚ１と反復記録領域Ｚ２とに分けて、例えば、タイムシフト視聴等をユーザにより指定された場合等の、連続記録処理を、図３のフローチャートを用いて説明する。図３のフローチャートにおいて、情報（例えば、チューナ部１２からの映像・音声情報）を、記憶領域Ｚ０を超えて連続的に記録する場合、図１に示す制御部３０の図示しないＲＯＭ等に格納されたプログラム等の働きにより、記録する情報が記憶領域Ｚ０の範囲である場合は、記憶領域Ｚ０の先頭領域Ｚ１から記録を行うべく、記録領域のポインタをアドレスｄ１に移動する（Ｓ１１）。そして、ポインタの示す記録領域に情報を記録しつつポインタを進める（Ｓ１２）。記録が進み、ポインタがアドレスｄ４の領域まで記録したら（Ｓ１３）、次に、記録領域のポインタを先頭領域Ｚ１に飛ばして、反復記録領域Ｚ２から記録を行うべく、ポインタをアドレスｄ３に移動する（Ｓ１４）。その後、記録の進行に従って、再び、ポインタがアドレスｄ４の領域まで記録したら（Ｓ１３）、再びステップＳ１２に飛んで、反復記録領域Ｚ２において、記録情報を削除しつつ新たな情報を記録し続けるものである。
【００４２】
このとき、反復記録領域Ｚ２は、上述したように、その容量がパケット容量（１８８バイト）の整数倍の容量となるようにアドレスｄ３が演算されているため、パケットが反復記録領域Ｚ２の終端部で途中で終わってしまい、残りのパケットが先頭領域になるということがないため、アドレス計算を簡略化することが可能となり、また１つのパケットを記録領域の最後と最初の２箇所に分けて読み出す必要が無くなり、これにより、ディスクのシークタイムの影響を避けることができ、迅速で安定した記録処理を行うことができる。
【００４３】
なお、ここでのパケット容量の一例は、１８８バイトであるが、これに限らず、例えば、１９２バイト、１３０バイト、１３２バイト、１３４バイト等が好適である。
【００４４】
又、ここでの長時間の記録とは、例えば、ハードディスクドライブ部１８でのタイムシフト用に準備した記録容量Ｚ０を記録によってすべて使い果たす時間であり、たとえば３０ギガバイトのハードディスクドライバに３ＭＢ／sのＨＤ画像コンテンツを記録すると、３０／３＝１０ｋ秒＝約２.８時間
となり、この場合では、約２.８時間が長時間の記録ということになる。
【００４５】
又、ここでは、２回目以降の記録を反復記録領域Ｚ２で行っているため、１回目の記録情報が先頭領域Ｚ１に残ることとなり、これにより、録画を長時間行っても、例えば、録画の最初の画面が保存されることとなるため、ユーザが後でこの録画像を再生することで、自分が録画している録画像の内容を容易に知ることができるものである。このとき、先頭領域Ｚ１の容量は、少なくとも、１画面分以上の動画像情報が記憶できる容量であることが好適である。
【００４６】
（複数ファイル毎の記録処理）
本発明の実施形態に係る記録再生装置１０での連続記録処理の際の複数ファイル毎の記録処理について、図面を用いて以下に詳細に説明する。図４は、本発明の一実施形態に係る記録再生装置が記録するファイルの一例を示す説明図、図５は、本発明の一実施形態に係る記録再生装置の記録方法の他の一例を示すフローチャートである。
【００４７】
本発明の実施形態に係る記録再生装置１０のもう一つの連続記録処理の際の処理であるが、図４に示すように、ハードディスクドライブ部１８の記憶領域Ｚ０において、複数のファイル１乃至ｎ（４１−４６）を設定し、このファイル毎に、情報を連続記録する場合を説明する。ここで、このファイルのサイズは様々なものが可能であり、例えば、動画像情報の１ピクチャ、又は、１ＧＯＴ、又は、１秒の動画像情報分の容量等が好適である。
【００４８】
このようにハードディスクドライブ部１８の記憶領域Ｚ０において、複数のファイル毎に行われる連続録画処理を図５のフローチャートを用いて、以下に説明する。図１に示す制御部３０の図示しないＲＯＭ等に格納されたプログラム等の働きにより、例えば、タイムシフト視聴のために長時間記録処理がなされる場合、記録ファイルのファイル番号ｎを１に指定してファイル１（４１）から、情報の記録処理が始められ（Ｓ２１）、記憶領域Ｚ０の全ての領域がまだ使用されていないのであれば（Ｓ２２）、そのファイル１に情報を記録する（Ｓ２３）。そのファイル１のデータ量が一杯になったのであれば（Ｓ２４）、ファイル番号ｎを進めて、例えば、ファイル２（４２）として、ハードディスクドライブ部１８の領域Ｚ０の設定できるファイルが残っていることを確認して（Ｓ２２）、同様に、ファイル毎に情報を記録していく。ステップＳ２２で、ハードディスクドライブ部１８の領域Ｚ０の設定できるファイルが無くなり、記録したデータ量が所定値に達したとなれば（Ｓ２２）、今度は、ファイル１に戻るのではなく、ファイル２から記録するべく、ファイル番号を２にして（Ｓ２６）、ファイル２（４２）から、各ファイルの中身を削除しながら、２回目以降のステップＳ２２からステップＳ２５までのファイル毎の記録処理を続行していく。
【００４９】
この記録処理では、２回目以降の長時間記録処理を、ファイル１から始めずに、ファイル２から始めることで、ファイル１の記録情報をそのままに残していくものであり、こうすることで、ユーザは、後に、ファイル１の記録情報を再生することで、長時間記録処理の内容を容易に知ることができる。従って、各ファイルのサイズは、例えば、動画像情報の１ピクチャ、又は、１ＧＯＴ、又は、１秒の動画像情報分の容量等が好適となる。
【００５０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５１】
【図１】本発明の一実施形態に係る記録再生装置の構成の一例を示すブロック図。
【図２】本発明の一実施形態に係る記録再生装置の記録方法の一例を示す説明図。
【図３】本発明の一実施形態に係る記録再生装置の記録方法の一例を示すフローチャート。
【図４】本発明の一実施形態に係る記録再生装置が記録するファイルの一例を示す説明図。
【図５】本発明の一実施形態に係る記録再生装置の記録方法の他の一例を示すフローチャート。
【符号の説明】
【００５２】
１１…ネットワークＩ／Ｆ部、１２…チューナ部、１３…入力部、１８…ハードディスクドライブ部、１９…ディスクドライブ部、２０…データ処理部、２１…エンコーダ部、２２…デコーダ部、２３…フォーマッタ部、２４…ビデオミキシング部、２６…ディスプレイ、２７…Ｉ／Ｆ部、３０…制御部（読出・書込アドレス決定部）、３１…表示部、３２…操作部、Ｒ…リモコン。
【図１】
2005341380.tif 000003
【図２】
2005341380.tif 000004
【図３】
2005341380.tif 000005
【図４】
2005341380.tif 000006
【図５】
2005341380.tif 000007